【手続補正書】
【提出日】平成17年2月9日(2005.2.9)
【手続補正１】
【補正対象書類名】明細書
【補正対象項目名】発明の名称
【補正方法】変更
【補正の内容】
【発明の名称】スロットマシン
【手続補正２】
【補正対象書類名】明細書
【補正対象項目名】特許請求の範囲
【補正方法】変更
【補正の内容】
【特許請求の範囲】
【請求項１】
識別情報の変動から停止までの過程を表示する表示手段を備え、該表示手段において複数列に配列された識別情報を変動および停止させて、停止した前記識別情報に応じて、遊技者にとって有利な特別遊技状態に移行するスロットマシンであって、
前記特別遊技状態に移行可能な状態とするか否かの入賞抽選を行う入賞抽選手段と、
前記入賞抽選手段が抽選を行った結果、前記特別遊技状態に移行可能な状態となっていることを条件として、その旨を報知する告知を行う告知手段と、
前記特別遊技状態に移行可能な状態である場合および前記特別遊技状態に移行不可能な状態である場合のいずれにおいても、前記告知とは異なる報知である予告を行う手段であって、所定の演出の開始後に遊技者による外部操作に応じて結果を報知する予告手段と、を備え、
前記予告手段は、前記特別遊技状態に移行していない状態で前記告知手段が前記告知を行ってなく、且つ前記表示手段に停止表示された前記識別情報が前記特別遊技状態に移行するものでなかったことを条件として、前記予告を行い、
前記告知手段は、前記特別遊技状態に移行可能な状態であるときに、前記予告手段により報知された結果が特定の結果であることを条件として、前記告知を行う
ことを特徴とするスロットマシン。
【請求項２】
前記予告手段が前記予告を行うか否かを所定の当選確率で抽選する予告抽選手段をさらに備え、
前記予告手段は、前記予告抽選手段が行う抽選に当選したときに、前記予告を行う
ことを特徴とする請求項１に記載のスロットマシン。
【請求項３】
前記所定の当選確率は、前記特別遊技状態に移行可能な場合には、前記特別遊技状態に移行不可能な場合よりも高い
ことを特徴とする請求項２に記載のスロットマシン。
【請求項４】
前記識別情報の変動が停止する以前の段階において、前記告知を行うか否かを決定する告知決定手段をさらに備える
ことを特徴とする請求項１ないし３のいずれか１項に記載のスロットマシン。
【請求項５】
前記識別情報の変動が停止する以前の段階において、前記予告を行うか否かを決定する予告決定手段をさらに備える
ことを特徴とする請求項１ないし４のいずれか１項に記載のスロットマシン。
【請求項６】
前記告知手段は、前記告知を行った後、前記表示手段に停止表示される前記識別情報が前記特別遊技状態に移行する識別情報となるまでの間、前記告知を継続して行う
ことを特徴とする請求項１ないし５のいずれか１項に記載のスロットマシン。
【請求項７】
前記告知手段は、所定のランプを点灯することによって前記告知を行う
ことを特徴とする請求項１ないし６のいずれか１項に記載のスロットマシン。
【請求項８】
前記予告手段は、前記表示手段に表示される前記識別情報の停止予定位置のうち所定のものに目印表示を付して遊技者に認知させるとともに前記目印表示を付する位置を変動させることによって前記所定の演出を開始させ、さらに遊技者による外部操作に応じて前記目印表示を付する位置を停止させた位置によって結果を報知し、
前記告知手段は、前記特別遊技状態に移行可能な状態であるときに、前記予告手段により前記目印表示を付する位置が特定の位置で停止されたことを条件として、前記告知を行う
ことを特徴とする請求項１ないし７のいずれか１項に記載のスロットマシン。
【手続補正３】
【補正対象書類名】明細書
【補正対象項目名】０００６
【補正方法】変更
【補正の内容】
【０００６】
【課題を解決するための手段】
上記目的を達成するために、本発明に係るスロットマシンは、
識別情報の変動から停止までの過程を表示する表示手段を備え、該表示手段において複数列に配列された識別情報を変動および停止させて、停止した前記識別情報に応じて、遊技者にとって有利な特別遊技状態に移行するスロットマシンであって、
前記特別遊技状態に移行可能な状態とするか否かの入賞抽選を行う入賞抽選手段と、
前記入賞抽選手段が抽選を行った結果、前記特別遊技状態に移行可能な状態となっていることを条件として、その旨を報知する告知を行う告知手段と、
前記特別遊技状態に移行可能な状態である場合および前記特別遊技状態に移行不可能な状態である場合のいずれにおいても、前記告知とは異なる報知である予告を行う手段であって、所定の演出の開始後に遊技者による外部操作に応じて結果を報知する予告手段と、を備え、
前記予告手段は、前記特別遊技状態に移行していない状態で前記告知手段が前記告知を行ってなく、且つ前記表示手段に停止表示された前記識別情報が前記特別遊技状態に移行するものでなかったことを条件として、前記予告を行い、
前記告知手段は、前記特別遊技状態に移行可能な状態であるときに、前記予告手段により報知された結果が特定の結果であることを条件として、前記告知を行う
ことを特徴とする。
【手続補正４】
【補正対象書類名】明細書
【補正対象項目名】０００７
【補正方法】変更
【補正の内容】
【０００７】
上記スロットマシンは、前記予告手段が前記予告を行うか否かを所定の当選確率で抽選する予告抽選手段をさらに備え、前記予告手段は、前記予告抽選手段が行う抽選に当選したときに、前記予告を行うことができる。前記所定の当選確率は、前記特別遊技状態に移行可能な場合には、前記特別遊技状態に移行不可能な場合よりも高くすることができる。
【手続補正５】
【補正対象書類名】明細書
【補正対象項目名】０００８
【補正方法】変更
【補正の内容】
【０００８】
上記スロットマシンは、前記識別情報の変動が停止する以前の段階において、前記告知を行うか否かを決定する告知決定手段をさらに備えることができる。前記識別情報の変動が停止する以前の段階において、前記予告を行うか否かを決定する予告決定手段をさらに備えることができる。
【手続補正６】
【補正対象書類名】明細書
【補正対象項目名】０００９
【補正方法】変更
【補正の内容】
【０００９】
また、前記告知手段は、前記告知を行った後、前記表示手段に停止表示される前記識別情報が前記特別遊技状態に移行する識別情報となるまでの間、前記告知を継続して行うことができる。
【手続補正７】
【補正対象書類名】明細書
【補正対象項目名】００１０
【補正方法】変更
【補正の内容】
【００１０】
さらに、前記告知手段は、所定のランプを点灯することによって前記告知を行うことができる。前記予告手段は、前記表示手段に表示される前記識別情報の停止予定位置のうち所定のものに目印表示を付して遊技者に認知させるとともに前記目印表示を付する位置を変動させることによって前記所定の演出を開始させ、さらに遊技者による外部操作に応じて前記目印表示を付する位置を停止させた位置によって結果を報知するものであってもよい。ここで、前記告知手段は、前記特別遊技状態に移行可能な状態であるときに、前記予告手段により前記目印表示を付する位置が特定の位置で停止されたことを条件として、前記告知を行うことができる。
【手続補正８】
【補正対象書類名】明細書
【補正対象項目名】００１１
【補正方法】変更
【補正の内容】
【００１１】
このように、上記スロットマシンは、遊技者にとって有利な特別遊技状態に移行可能であるとの告知と予告とを行うことができる場合に、確実な報知である告知を行った後には予告を行わないことによって、無駄な報知を避け、遊技者が遊技状態の認識を誤らないようにすることができる。また、予告を行うことが決定されていても、表示手段の表示結果が特別遊技状態に移行する条件を満足するものであった場合には予告を行わないことによって、無駄な報知を避け、遊技者が遊技状態の認識を誤らないようにすることができる。さらに、告知および予告を行うか否かを識別情報の変動が停止する前に決定することによって、告知および予告を行う確率を自由に設定することができる。このとき、遊技効果ランプやＬＥＤ表示部の点灯、点滅等によって告知を行い、バックライトの点灯、フラッシュ等によって予告を行えば、告知と予告との差異が明確になり、遊技者が２種類の報知を誤認することを防止することができる。
【手続補正９】
【補正対象書類名】明細書
【補正対象項目名】００１２
【補正方法】削除
【補正の内容】
【手続補正１０】
【補正対象書類名】明細書
【補正対象項目名】０１４８
【補正方法】変更
【補正の内容】
【０１４８】
【発明の効果】
以上説明したように本発明は、以下に示す効果を有する。
請求項１に記載したように、複数列に配列された識別情報を変動および停止させて、停止した識別情報に応じて遊技者にとって有利な特別遊技状態に移行するスロットマシンにおいて、特別遊技状態に移行可能な状態とするか否かの入賞抽選を行う入賞抽選手段と、入賞抽選手段が抽選を行った結果、特別遊技状態に移行可能な状態となっていることを条件として、その旨を報知する告知を行う告知手段と、特別遊技状態に移行可能な状態である場合および特別遊技状態に移行不可能な状態である場合のいずれにおいても、告知とは異なる報知である予告を行うことが可能な予告手段とを備え、特別遊技状態に移行していない状態で、告知手段が告知を行っている場合には、告知をする条件となった入賞抽選手段の抽選結果に基づいた予告を行わないので、告知と予告との両方を行うことができる場合であっても、特別遊技状態に移行可能であることについて確実な報知である告知を行っている場合には予告を行わないことで無駄な報知を避け、無意味な演出によって遊技者が遊技状態を誤認しないようにすることができる。また、予告手段が、識別情報の変動から停止までの過程を表示する表示手段に停止して表示された識別情報が特別遊技状態に移行するものでなかったことを条件として予告を行うので、予告を行うことが決定されていても、表示手段の表示結果が特別遊技状態に移行する条件を満足するものであった場合には予告を行わず、無駄な予告を避けることによって、遊技者が遊技状態を誤認しないようにすることができる。
【手続補正１１】
【補正対象書類名】明細書
【補正対象項目名】０１５１
【補正方法】削除
【補正の内容】
【手続補正１２】
【補正対象書類名】明細書
【補正対象項目名】０１５２
【補正方法】変更
【補正の内容】
【０１５２】
請求項４に記載したように、識別情報の変動が停止する以前の段階において、告知を行うか否かを決定する告知決定手段を備えるので、告知を行うか否かを識別情報の変動が停止する前に決定することができ、告知を行う確率を自由に設定することができる。
【手続補正１３】
【補正対象書類名】明細書
【補正対象項目名】０１５３
【補正方法】変更
【補正の内容】
【０１５３】
請求項５に記載したように、識別情報の変動が停止する以前の段階において、予告を行うか否かを決定する予告決定手段を備えるので、予告を行うか否かを識別情報の変動が停止する前に決定することができ、予告を行う確率を自由に設定することができる。
【手続補正１４】
【補正対象書類名】明細書
【補正対象項目名】０１５４
【補正方法】変更
【補正の内容】
【０１５４】
請求項６に記載したように、告知手段が告知を行った後には、表示手段に停止して表示される識別情報が特別遊技状態に移行する識別情報となるまでの間、告知を継続して行うので、特別遊技状態に移行可能であることの告知を特別遊技状態に移行するまで継続して行うことができ、遊技者にとって有利な状態に移行可能であることの報知である告知を、遊技者が見落とすことを防止することができる。
【手続補正１５】
【補正対象書類名】明細書
【補正対象項目名】０１５５
【補正方法】削除
【補正の内容】
【手続補正１６】
【補正対象書類名】明細書
【補正対象項目名】０１５６
【補正方法】削除
【補正の内容】
【手続補正１７】
【補正対象書類名】明細書
【補正対象項目名】０１５７
【補正方法】変更
【補正の内容】
【０１５７】
請求項７に記載したように、所定のランプを点灯することによって告知を行うので、例えば遊技効果ランプ、ＬＥＤ表示部等を点灯、点滅させることによって告知の態様を多彩にすることができ、遊技性が向上して遊技者が一層の期待感を持つことができる。
【手続補正１８】
【補正対象書類名】明細書
【補正対象項目名】０１５８
【補正方法】変更
【補正の内容】
【０１５８】
請求項８に記載したように、予告手段が、表示手段に表示される識別情報の停止位置のうち所定のものに目印表示を付して遊技者に認知させ、さらに目印表示を付する位置を変動させることによって予告を行うので、予告を行う領域が通常の遊技において遊技者が凝視している場所となり、予告の態様が変化するので、遊技者が通常の遊技に専念していても予告が行われたことを認識することができる。また、例えば目印表示をバックライトを点灯、フラッシュさせることによって実現すると、告知との態様の差異が明確になる。
【手続補正１９】
【補正対象書類名】明細書
【補正対象項目名】０１５９
【補正方法】削除
【補正の内容】
【手続補正２０】
【補正対象書類名】明細書
【補正対象項目名】０１６０
【補正方法】削除
【補正の内容】